(57)【特許請求の範囲】
【請求項１】
引戸を設備する建物枠体には係止受けを設け、引戸の戸先部には、引戸の閉操作で上記係止受けを係止するラッチを有するラッチ係止手段と、ベース体の正面凹形内にラッチの係止を解放させるためのハンドルを有するハンドル操作手段とを備えた引戸用係止保持装置において、
前記ラッチ係止手段は、下方向に移動させてラッチを解放させる連動部材、或いは、上方向に移動させてラッチを解放させる連動部材を備えるものであり、
前記ベース体には、上下方向に配設位置をずらせて各々の中程を当該ベース体に旋回自在に軸支させ、かつ、各々の一端部を相互に連結した第１、第２リンクレバーと、
引戸の開方向に操作可能であり、かつ、前記第１、第２リンクレバーの他端部側にそれぞれ連結した駆動レバーを備えるハンドルと、
前記第１リンクレバーの他端部に連結した一方のクランクと前記第２リンクレバーの他端部に連結した他方のクランクとを設け、
さらに、前記一方のクランクには、下方向移動でラッチ解放の前記連動部材に連結可能とした一方のジョイントレバーを連結し、前記他方のクランクには、上方向移動でラッチ解放の前記連動部材に連結可能とした他方のジョイントレバーを連結し、
引戸を開くハンドルの横方向の操作力を前記リンクレバー、クランク、ジョイントレバーからなる動力方向変換機構によって上下方向の駆動力に変換し、一方のジョイントレバーを下方向に、他方のジョイントレバーを上方向に移動させる構成としたことを特徴とする引戸用係止保持装置。
【請求項２】
前記ハンドルを前面側の凹形内に、前記動力方向変換機構を凹形後面側に各々配設した断面凹形のベースと、
前記動力方向変換機構を覆うように前記ベース体の凹形後面側に設けたカバーとを備え、
さらに、前記動作レバーは、前記ベース体の凹形後面側と前記カバーとの間で横方向に移動可能に配設すると共に、当該動作レバーには、前記ハンドルを前記ベースの前面側凹形内に突出させるように固着する起立片部を設けて構成したハンドル操作手段を備えたことを特徴とする請求項１に記載した引戸用係止保持装置。
【発明の詳細な説明】
【０００１】
【発明の属する技術分野】
この発明は、建物に設備される引戸の閉め状態を保持するための引戸用係止保持装置に関する。
【０００２】
【従来の技術】
建物の引戸は手軽に開閉できるようになっているため、閉める際に必要以上の力で閉め操作すると、建物枠体に当る引戸の戸先面の反動作用によって、引戸が押し戻される。
このため、引戸と建物枠体とに間隔が生ずる戸開き状態となる。
【０００３】
この問題を解決するため、引戸を閉めたとき、閉め状態を保持するための係止保持装置を備えた引戸が提案されている。
このような引戸の係止保持装置には様々な装置構成のものがあるが、その一例を図７〜図１０にもとづいて簡単に説明する。
【０００４】
図７は係止保持装置を備えた引戸分部の内面側を示している。
図示するように、引戸が設備される建物の縦枠体１０には、引戸２０に向けた係止受け１１が設けられている。
この係止受け１１は、Ｕ字形に折り曲げた円形断面の棒状のもので、両端部分が縦枠体１０に固着されている。
【０００５】
引戸２０には、施錠機能を有するラッチ係止部（ラッチ係止手段）２１と、キ−操作可能な施解錠操作部２２と、ラッチの係止を解放させるハンドル操作部（ハンドル操作手段）２３とからなる係止保持装置が取付けられている。
【０００６】
ラッチ係止部２１は、図８に示した如く、ラッチケ−ス２４内に設けられている、ラッチ２５、係止レバ−２６、係止解放レバ−２７、連動レバ−（連動部材）２８、施解錠スライダ−２９から構成されている。
【０００７】
ラッチ２５は支軸３０によって軸支され、スプリング３１によって常時復動勢力を受けており、引戸２０を閉めることによってラッチケ−ス２４の溝２４ａから入いる係止受け１１をその係止溝２５ａによって係止する。
【０００８】
係止レバ−２６は支軸３２によって軸支され、スプリング３３によって反時計方向の旋回勢力を受けており、係止受け１１を係止したラッチ２５の戻り回動を阻止するように係止保持する。（図９参照）
このように係止受け１１がラッチ２５によって係止されることにより、引戸２０が閉めた位置で係止保持される。
【０００９】
引戸２０を開ける場合は、ハンドル操作部２３のハンドル３４を押動操作（紙面に対し直角方向の押動操作）しながら引戸２０を開き操作する。
ハンドル３４を押動操作すると、連動レバ−２８が引き下げられ、その舌片部２８ａに軸着されている係止解放レバ−２７が下方に移動する。
【００１０】
係止解放レバ−２７は先端部に連動爪部２７ａを有し、この連動爪部２７ａが係止レバ−２６の連動ピン２６ａを時計方向に旋動する。
この動作で係止レバ−２６がスプリング３３のばね勢力に抗して時計方向に旋回し、ラッチ２５の係止保持を解除する。
【００１１】
この結果、ラッチ２５がスプリング３１のばね力を受けて図９の位置から図８の位置まで戻り回動し、係止受け１１の係止を解放することから、引戸２０を開くことができる。
なお、ハンドル３４の押動操作を解放することにより、連動レバ−２８がスプリング３５のばね勢力を受けて図８に示す位置に上昇移動する。
したがって、係止レバ−２６がラッチ２５の非係止部に圧接する状態となる。
【００１２】
一方、施解錠スライダ−２９は、左右に位置をずらせた下側のガイド孔３６ａと上側のガイド孔３６ｂと、これらガイド孔３６ａ、３６ｂを連通させたガイド孔が設けてある。
そして、上記したように解錠状態で引戸２０を開閉するときは、係止解放レバ−２７のガイドピン２７ｂが下側のガイド孔３６ａ内を移動する。
【００１３】
また、この施解錠スライダ−２９は施解錠操作部２２の操作にしたがって上下動し、ラッチ係止部２１を施錠状態とする。
施解錠操作部２２は図７に示すように、引戸２０の内面側に施錠ボタン３７を、その外面側にキ−孔３８を備えている。
【００１４】
この施解錠操作部２２は、キ−または施錠ボタン３７による施錠操作により、その連動杆３９が下降移動し、施解錠スライダ−２９を押し下げる。
これより、係止解放レバ−２７のガイドピン２７ｂが図１０に示すように上側のガイド孔３６ｂに移るため、係止解放レバ−２７が右旋する。
【００１５】
この動作状態でハンドル３４を押動操作し、連動レバ−２８が下降すると、ガイドピン２７ｂがガイド孔３６ｂを移動するため、係止解放レバ−２７の連動爪部２７ａが連動ピン２６ａに対して非連動となる。
【００１６】
したがって、係止解放レバ−２７の連動爪部２７ａが空振りすることから、ハンドル３４の押動操作にかかわらず、ラッチ２５が係止受け１１を係止し、施錠状態となる。
【００１７】
また、施解錠操作部２２を解錠動作させると、連動杆３９が上昇することから,施解錠スライダ−２９が上昇移動し、また、連動レバ−２８がスプリング３５のばね勢力で図９に示す位置まで上昇し、ラッチ係止部２１を解錠状態とする。
なお、施解錠スライダ−２９は、その連結孔２９ａに連動杆３９の突出部３９ａが突入しており、また、その突出部３９ａがラッチケ−ス２４の摺動溝２４ｂ内を摺動することによって上下方向にガイドされる。
【００１８】
【発明が解決しようとする課題】
上記したような引戸の係止保持装置は、ハンドル３４の押動操作と引戸２０の開き操作の二操作が必要となる他、引戸２０の開き操作方向に対しハンドル操作方向が異なるために必ずしも操作性がよいとは言えない。
【００１９】
また、従来の係止保持装置には、レバ−型のハンドルを備えたものがあるが、このようなハンドルは引戸面から突出する構成となる。
そのために、複数の引戸が併設されている場合には引戸のすれ違いに邪魔となったり、また、網戸を取付けるときにそのハンドルのために取付けできない等の問題がある。
【００２０】
本発明は上記した実情にかんがみ、引戸面から突出することなく、かつ、係止解放の操作性に優れたハンドルを備えた引戸用係止保持装置を提供することを目的とする。
【００２１】
【課題を解決するための手段】
上記した目的を達成するため、本発明は、引戸を設備する建物枠体には係止受けを設け、引戸の戸先部には、引戸の閉操作で上記係止受けを係止するラッチを有するラッチ係止手段と、ベース体の正面凹形内にラッチの係止を解放させるためのハンドルを有するハンドル操作手段とを備えた引戸用係止保持装置に関する。
【００２２】
そして、第１の発明は、前記ラッチ係止手段は、下方向に移動させてラッチを解放させる連動部材、或いは、上方向に移動させてラッチを解放させる連動部材を備えるものであり、前記ベース体には、上下方向に配設位置をずらせて各々の中程を当該ベース体に旋回自在に軸支させ、かつ、各々の一端部を相互に連結した第１、第２リンクレバーと、引戸の開方向に操作可能であり、かつ、前記第１、第２リンクレバーの他端部側にそれぞれ連結した駆動レバーを備えるハンドルと
、前記第１リンクレバーの他端部に連結した一方のクランクと前記第２リンクレバーの他端部に連結した他方のクランクとを設け、さらに、前記一方のクランクには、下方向移動でラッチ解放の前記連動部材に連結可能とした一方のジョイントレバーを連結し、前記他方のクランクには、上方向移動でラッチ解放の前記連動部材に連結可能とした他方のジョイントレバーを連結し、引戸を開くハンドルの横方向の操作力を前記リンクレバー、クランク、ジョイントレバーからなる動力方向変換機構によって上下方向の駆動力に変換し、一方のジョイントレバーを下方向に、他方のジョイントレバーを上方向に移動させる構成としたことを特徴とする引戸用係止保持装置を提案する。
【００２３】
このように構成することによって、複数の引戸を併設する場合であっても、ハンドルが引戸の開閉に邪魔とならず、また、網戸の取付けにも支障がない。
また、引戸閉の状態でハンドルを操作しラッチ係止手段の係止を解放させると、ハンドルの操作が引戸を開く操作方向となるので、ハンドルを操作する一操作によってラッチを解放させ、引戸を開くことができる。
さらに、上記の第１の発明によれば、連動レバーを下方向に移動させてラッチを解放させるラッチ係止手段を備える引戸用係止保持装置の他に、連動レバーを上方向に移動させてラッチを解放させるラッチ係止手段を備える引戸用係止保持装置についても実施することができる。
【００２４】
第２の発明は、第１の発明の引戸用係止保持装置において、前記ハンドルを前面側の凹形内に、前記動力方向変換機構を凹形後面側に各々配設した断面凹形のベースと、前記動力方向変換機構を覆うように前記ベース体の凹形後面側に設けたカバーとを備え、さらに、前記動作レバーは、前記ベース体の凹形後面側と前記カバーとの間で横方向に移動可能に配設すると共に、当該動作レバーには、前記ハンドルを前記ベースの前面側凹形内に突出させるように固着する起立片部を設けて構成したハンドル操作手段を備えたことを特徴とする引戸用係止保持装置を提案する。
【００２５】
このように、ハンドル操作手段に必要となる、ハンドルと駆動レバー、動力方向変換機構、カバーをベース体に取付けることによって、ハンドル操作手段の構成と組立てが簡単となる。
【００３０】
【発明の実施の形態】
次に、本発明の一実施形態について図面に沿って説明する。
図１は従来例同様の引戸用係止保持装置に備えるハンドル操作部（ハンドル操作手段）の正面図、図２は同ハンドル操作部の縦断面図、図３は図１上のＡ−Ａ線断面図、図４は図１上のＢ−Ｂ線断面図である。
【００３１】
これらの図面において、５０は長径に形成したベ−ス体であり、これは上下部を除いて横断面を凹形とし、その正面凹形部が操作部となっている。
【００３２】
そして、このベ−ス体５０には、図２、図３により分かる通り、正面から見て右側となる凹形壁に細長の窓孔５０ａを形成し、この窓孔５０ａより凹形内に向かってハンドル５１が突出している。
ハンドル５１は長径に形成し、駆動レバ−５２の起立板部５２ａにねじ止めしてある。
【００３３】
このハンドル５１は図１において右方向に押動操作し、その操作力が次に述べる、駆動レバ−５２、第１、第２リンクレバ−５８、５９、クランク６５、６６、ジョイントア−ム７１、７２からなる動力方向変換機構によって上下方向の駆動力に変換される。
【００３４】
駆動レバ−５２はカバ−５３の面上で左右方向に移動するようになっているが、その上下端部の起立片部５２ｂ、５２ｃがスプリング５４、５５のばね力で左方向に押動勢力を受けている。
なお、スプリング５４、５５はベ−ス体５０の上下部に形成したばね受け５０ｂ、５０ｃと起立片部５２ｂ、５２ｃとの間に係架させてある。
【００３５】
また、駆動レバ−５２は上方腕部と下方腕部とを連結ピン５６、５７によって第１、第２リンクレバ−５８、５９に連結してある。
そして、上側の第１リンクレバ−５８はその中程を支軸６０により、下側の第２リンクレバ−５９はその中程を支軸６１によって各々ベ−ス体５０に軸着してあり、これら第１、第２リンクレバ−５８、５９がベ−ス体５０と駆動レバ−５２の間で旋回動する構成としてある。
【００３６】
第１、第２リンクレバ−５８、５９はそれの一端部を連結軸６２によって連結し、また、これらレバ−５８、５９の他端部は連結ピン６３、６４によってクランク６５、６６に連結させてある。
【００３７】
クランク６５、６６はカバ−５３の面上で旋動するように支軸６７、６８によってベ−ス体５０に軸支してあり、また、これらクランク６５、６６には連結ピン６９、７０によってジョイントア−ム７１、７２を連結させてある。
【００３８】
ジョイントア−ム７１、７２は、ベ−ス体５０の後面側に張り出した板部とベ−ス体５０の外壁面側に起立させた板部とにより形成してあり、また、これらジョイントア−ム７１、７２にはラッチ係止部２１の連動レバ−２８を連結する連結片部７１ａ、７２ａが設けてある。
【００３９】
その他、カバ−５３は横断面コ字形としてあるが、図３に示すように、駆動レバ−５２の起立板部５２ａに対向する側部については切欠いてある。
なお、このカバ−５３は上記した動力方向変換機構を覆うようにしてベ−ス体５０に取付けてある。
【００４０】
上記のように構成したハンドル操作部は、従来例のハンドル操作部２３と同様に引戸２０の引戸面部に取付け、また、ラッチ係止部２１の連動レバー２８をジョイントアーム７１に連結する。
なお、ハンドル操作部の取付けは、ベース５０の上下に形成した取付孔５０ｄ、５０ｅよりねじを差し入れて引戸２０にねじ止めする。
【００４１】
このハンドル操作部はハンドル５１を図１において右方向に押動操作することによってラッチ係止部のラッチが係止受け１１を解放する。
つまり、ハンドル５１を右方向に押動操作すると、駆動レバー５２がスプリング５４、５５のばね力に抗して同方向に移動し、その連結ピン５６、５７によって第１、第２リンクレバー５８、５９を旋回動させる。
【００４２】
この動作で第１リンクレバ−５８が支軸６０を中心にして右旋回するため、クランク６５が支軸６７を支点に時計方向に旋回する。
つまり、図５、図６に拡大して示したようにクランク６５が時計方向に旋回することから、連動ピン６９を介して連動されるジョイントア−ム７１が下降移動する。
【００４３】
この結果、連動レバ−２８が下方に移動し、従来例で説明したようにラッチ係止部２１の係止が解放する。
このように、ハンドル５１を右方向、つまり、引戸２０を開く方向に押動操作してラッチ係止部２１の係止を解放させることから、ハンドル５１を押動操作すれば、ラッチ係止部２１が係止受け１１を解放し、また、引戸２０を開けることができる。
【００４４】
また、ハンドル５１の操作を解放すれば、駆動レバ−５２がスプリング５４、５５のばね勢力で左方向に移動するため、ハンドル５１が図１、図５に示す非操作位置に復動すると共に、第１リンクレバ−５８が左旋回するため、クランク６５が反時計方向に旋回し、ジョイントア−ム７１が図６に示す下降位置から図５に示す位置まで上昇移動する。
【００４５】
なお、図５、図６はハンドル操作部に設けた動力方向変換機構の上半部分について示した拡大図であるが、その下半部分の動作についても同様となる。
すなわち、駆動レバ−５２がハンドル操作によって右方向に移動することにより、第２リンクレバ−５９が左旋回するため、クランク６６が反時計方向に旋回し、ジョイントア−ム７２が上昇移動する。
【００４６】
本実施形態ではジョイントア−ム７２にはラッチ係止部２１を連結させていないが、連動レバ−を上昇移動させてラッチを解放させるタイプのラッチ係止部については、下側のジョイントア−ム７２にその連動レバ−を連結させる。
また、本実施形態では、右方向に引くことで開く引戸２０に実施した場合を説明したが、左方向に引いて開ける引戸については、ハンドル操作部を上下に反転させて取付け、ジョイントア−ム７１または７２によってラッチ係止部２１を連動するようにする。
【００４７】
以上、本発明の一実施形態について説明したが、ラッチ係止部２１が施錠機能をもたない引戸用の係止保持装置のハンドル操作部としても同様に実施することができる。
【００４８】
【発明の効果】
上記した通り、本発明の引戸用係止保持装置に備えたハンドル操作部は、ハンドルが引戸側面からはみ出さない構成としてあることから、複数の引戸を併設した場合にもハンドルが引戸の開閉に邪魔とならないし、また、網戸がハンドルの出張りのために引戸に接近しては取付けられないと言うような問題もない。
【００４９】
また、引戸を開く方向にハンドルを押動操作してラッチ係止部を係止解放させる構成としたことから、ラッチ係止部を解放させるハンドルの押動操作によって引戸を開くことができ、係止保持装置を備えた引戸の開操作に便利なものとなる。
特に、このように構成したハンドル操作部はハンドルのどの部分を押圧操作してもラッチを解放させ、引戸を開くことができ、操作性がよい。
【００５０】
さらに、ハンドル操作部として必要なハンドルと駆動レバー、動力方向変換機構、カバーをベース体に組付ける構成としたことから、構成と組立てが簡単となるハンドル操作部を提供し得る。
また、本発明によれば、連動レバーを下方向に移動させてラッチを解放させるラッチ係止手段を備える引戸用係止保持装置の他に、連動レバーを上方向に移動させてラッチを解放させるラッチ係止手段を備える引戸用係止保持装置についても実施することができる。
【図面の簡単な説明】
【図１】本発明の一実施形態を示し、引戸用係止保持装置のハンドル操作部を示す正面図である。
【図２】上記ハンドル操作部の縦断面図である。
【図３】図１上のＡ−Ａ線断面図である。
【図４】図１上のＢ−Ｂ線断面図である。
【図５】上記ハンドル操作部の上半部分を拡大して示す切欠正面図である。
【図６】上記ハンドル操作部の動作を示す図５同様の一部切欠正面図である。
【図７】引戸に備えた係止保持装置を示す正面図である。
【図８】引戸用係止保持装置に備えたラッチ係止部の従来例を示す断面図である。
【図９】従来例として示したラッチ係止部のラッチ係止と解放を説明するための動作図である。
【図１０】ラッチ係止部の施錠を説明するための図９同様の動作図である。
【符号の説明】
１１  係止受け
２０  引戸
２１  ラッチ係止部
２２  施解錠操作部
２５  ラッチ
２６  係止レバ−
２７  係止解放レバ−
２８  連動レバ−
２９  施解錠スライダ−
５０  ベ−ス体
５０ａ  窓孔
５１  ハンドル
５２  駆動レバ−
５３  カバ−
５８  第１リンクレバ−
５９  第２リンクレバ−
６５、６６  クランク
７１、７２  ジョイントア−ム
【図１】
0004150775.tif 000002
【図２】
0004150775.tif 000003
【図３】
0004150775.tif 000004
【図４】
0004150775.tif 000005
【図５】
0004150775.tif 000006
【図６】
0004150775.tif 000007
【図７】
0004150775.tif 000008
【図８】
0004150775.tif 000009
【図９】
0004150775.tif 000010
【図１０】
0004150775.tif 000011